(57)【要約】【課題】人の入退室により容易かつ精度良く商用電源をＯＮ／ＯＦＦする電源装置を提供することを目的とする。【解決手段】人の入退室のある家において、床上に設置された人を検出する圧電素子２と、圧電素子２の信号により人の入退室を検出する人検出手段７と人検出手段７の検出結果により在室人数を積算する在室人数積算手段８と在室人数により人の在室を判断する在室判断手段９とを備えた制御手段３と、制御手段３の信号を受けて商用電源をＯＮ／ＯＦＦする開閉手段５とを備え、人が不在の場合は商用電源をＯＦＦし、人が在室する場合は商用電源をＯＮすることで、人が不在時には自動で待機電力を削減することができる。【選択図】図１
2010182601.tif 000002
【特許請求の範囲】
【請求項１】
人の入退室のある家において、床上に設置された人を検出する圧電素子と、前記圧電素子の信号により人の入退室を検出する人検出手段と前記人検出手段の検出結果により在室人数を積算する在室人数積算手段と在室人数により人の在室を判断する在室判断手段とを備えた制御手段と、前記制御手段の信号を受けて商用電源をＯＮ／ＯＦＦする開閉手段とを備え、人が不在の場合は商用電源をＯＦＦし、人が在室する場合は商用電源をＯＮすることを特徴とする電源装置。
【請求項２】
人検出手段にあらかじめ記憶された人判定基準を備え、圧電素子の信号が前記人判定基準より大きい場合は、人を検出していると判断することを特徴とする請求項１に記載の電源装置。
【請求項３】
圧電素子を入退室口付近に設置することを特徴とする請求項１に記載の電源装置。
【請求項４】
人の入退室を別々の圧電素子で検出することを特徴とする請求項１に記載の電源装置。
【請求項５】
圧電素子を入退室口をはさんで両側に設置することを特徴とする請求項１に記載の電源装置。
【請求項６】
圧電素子を部屋毎に設置し、部屋毎に商用電源をＯＮ／ＯＦＦすることを特徴とする請求項１に記載の電源装置。
【請求項７】
制御手段に商用電源のＯＮ／ＯＦＦ状態を報知する報知手段を備えることを特徴とする請求項１に記載の電源装置。
【請求項８】
圧電素子を設置した家の外に受信手段を備え、報知手段から前記受信手段に商用電源のＯＮ／ＯＦＦ状態を送信することを特徴とする請求項７に記載の電源装置。
【請求項９】
商用電源が停電より復帰時は商用電源をＯＮすることを特徴とする請求項１に記載の電源装置。
【請求項１０】
制御手段に在室人数積算手段の在室人数を手動設定する在室人数入力手段を備えることを特徴とする請求項１に記載の電源装置。
【請求項１１】
制御手段に時間を積算する時間積算手段を備え、人が退室したと判断する一定時間経過後に商用電源をＯＦＦすることを特徴とする請求項１に記載の電源装置。
【請求項１２】
人が退室したと判断する一定時間を設定できることを特徴とする請求項１１に記載の電源装置。
【発明の詳細な説明】
【技術分野】
【０００１】
本発明は、人の入退室により容易かつ精度良く商用電源をＯＮ／ＯＦＦする電源装置に関する。
【背景技術】
【０００２】
今日、環境に対する配慮やエンドユーザーからの要望として、電気機器の消費電力の抑制が重要な要素となっており、その中で未使用時の待機電力の削減が課題となっている。待機電力削減の一例として、部屋の扉の開閉により人を検出して、人が不在時にはセンサへの通電をＯＦＦして待機電力を削減する換気装置がある（例えば、特許文献１参照）。また人感センサで人を検出して、人が不在時には照明の出力を低下させる照明装置がある（例えば、特許文献２参照）。
【特許文献１】特開２００７−１０７７７８号公報
【特許文献２】特開２００３−２４３１８４号公報
【発明の開示】
【発明が解決しようとする課題】
【０００３】
上記のような従来の方法では、装置自体に待機電力を削減する手段を設けているため、その他の電気機器では待機電力を削減することができないという課題があった。また人感センサとして焦電センサを使用しているため、例えば風による温度変化があればセンサが反応してしまうという課題があった。
【０００４】
本発明は、上記課題を解決するもので、人の入退室により容易かつ精度良く商用電源をＯＮ／ＯＦＦする電源装置を提供することを目的とする。
【課題を解決するための手段】
【０００５】
上記課題を解決するために本発明の電源装置は、人の入退室のある家において、床上に設置された人を検出する圧電素子と、前記圧電素子の信号により人の入退室を検出する人検出手段と前記人検出手段の検出結果により在室人数を積算する在室人数積算手段と在室人数により人の在室を判断する在室判断手段とを備えた制御手段と、前記制御手段の信号を受けて商用電源をＯＮ／ＯＦＦする開閉手段とを備え、人が不在の場合は商用電源をＯＦＦし、人が在室する場合は商用電源をＯＮする構成としたものである。
【０００６】
この手段により、人が不在の場合は商用電源をＯＦＦする電源装置が得られる。
【０００７】
また、他の手段は、人検出手段にあらかじめ記憶された人判定基準を備え、圧電素子の信号が前記人判定基準より大きい場合は、人を検出していると判断する構成としたものである。
【０００８】
この手段により、圧電素子の信号が判定基準より大きい場合は人と判断する電源装置が得られる。
【０００９】
また、他の手段は、圧電素子を入退室口付近に設置する構成としたものである。
【００１０】
この手段により、人の入退室を精度良く検出する電源装置が得られる。
【００１１】
また、他の手段は、人の入退室を別々の圧電素子で検出する構成としたものである。
【００１２】
この手段により、人の入退室を精度良く検出する電源装置が得られる。
【００１３】
また、他の手段は、圧電素子を入退室口をはさんで両側に設置する構成としたものである。
【００１４】
この手段により、人の入退室を精度良く検出する電源装置が得られる。
【００１５】
また、他の手段は、圧電素子を部屋毎に設置し、部屋毎に商用電源をＯＮ／ＯＦＦする構成としたものである。
【００１６】
この手段により、いずれの圧電素子から信号が検出されたか判断し、部屋毎に商用電源をＯＮ／ＯＦＦする電源装置が得られる。
【００１７】
また、他の手段は、制御手段に商用電源ＯＮ／ＯＦＦの状態を報知する報知手段を備える構成としたものである。
【００１８】
この手段により、商用電源のＯＮ／ＯＦＦ状態を知らせる電源装置が得られる。
【００１９】
また、他の手段は、圧電素子を設置した家の外に受信手段を備え、報知手段から前記受信手段に商用電源のＯＮ／ＯＦＦ状態を送信する構成としたものである。
【００２０】
この手段により、商用電源のＯＮ／ＯＦＦ状態を家の外に送信する電源装置が得られる。
【００２１】
また、他の手段は、商用電源が停電より復帰時は商用電源をＯＮする構成としたものである。
【００２２】
この手段により、停電時に商用電源がＯＮ状態から復帰する電源装置が得られる。
【００２３】
また、他の手段は、制御手段に在室人数積算手段の在室人数を手動設定する在室人数入力手段を備える構成としたものである。
【００２４】
この手段により、停電時から復帰時に在室人数を手動で設定できる電源装置が得られる。
【００２５】
また、他の手段は、制御手段に時間を積算する時間積算手段を備え、人が退室したと判断する一定時間経過後に商用電源をＯＦＦする構成としたものである。
【００２６】
この手段により、商用電源のＯＦＦまでに遅延時間がある電源装置が得られる。
【００２７】
また、他の手段は、人が退室したと判断する一定時間を設定できる構成としたものである。
【００２８】
この手段により、商用電源のＯＦＦまでの遅延時間を設定できる電源装置が得られる。
【発明の効果】
【００２９】
本発明によれば、意識をせず容易かつ精度良く待機電力を削減できる電源装置が得られる。
【００３０】
また、人だけに反応してＯＮ／ＯＦＦする電源装置が得られる。
【００３１】
また、人の入退室を容易かつ精度良く検出できる電源装置が得られる。
【００３２】
また、部屋毎に待機電力を削減することができる電源装置が得られる。
【００３３】
また、待機電力の削減状態を容易に知ることができる電源装置が得られる。
【００３４】
また、家の外で待機電力の削減状態をで知ることができる電源装置が得られる。
【００３５】
また、停電時に人が入室した場合でも、停電復帰時には商用電源をＯＮ状態から復帰できる電源装置が得られる。
【００３６】
また、停電時に人が入室して圧電素子により判定できなかった場合でも、在室人数を適切に設定できる電源装置が得られる。
【００３７】
また、一時的に退室する場合は商用電源をＯＦＦしない電源装置が得られる。
【００３８】
また、一時的に退室する場合に商用電源をＯＦＦしない時間を設定できる電源装置が得られる。
【発明を実施するための最良の形態】
【００３９】
請求項１記載の電源装置の発明は、人の入退室のある家において、床上に設置された人を検出する圧電素子と、前記圧電素子の信号により人の入退室を検出する人検出手段と前記人検出手段の検出結果により在室人数を積算する在室人数積算手段と在室人数により人の在室を判断する在室判断手段とを備えた制御手段と、前記制御手段の信号を受けて商用電源をＯＮ／ＯＦＦする開閉手段とを備え、人が不在の場合は商用電源をＯＦＦし、人が在室する場合は商用電源をＯＮする構成としたものであり、人が不在の場合は商用電源をＯＦＦする作用を有する。
【００４０】
請求項２記載の電源装置の発明は、請求項１に記載の電源装置において、人検出手段にあらかじめ記憶された人判定基準を備え、圧電素子の信号が前記人判定基準より大きい場合は、人を検出していると判断する構成としたものであり、圧電素子の信号が判定基準より大きい場合は人と判断する作用を有する。
【００４１】
請求項３記載の電源装置の発明は、請求項１に記載の電源装置において、圧電素子を入退室口付近に設置する構成としたものであり、人の入退室を精度良く検出する作用を有する。
【００４２】
請求項４記載の電源装置の発明は、請求項１に記載の電源装置において、人の入退室を別々の圧電素子で検出するする構成としたものであり、人の入退室を精度良く検出する作用を有する。
【００４３】
請求項５記載の電源装置の発明は、請求項１に記載の電源装置において、圧電素子を入退室口をはさんで両側に設置する構成としたものであり、人の入退室を精度良く検出する作用を有する。
【００４４】
請求項６記載の電源装置の発明は、請求項１に記載の電源装置において、圧電素子を部屋毎に設置し、部屋毎に商用電源をＯＮ／ＯＦＦする構成としたものであり、いずれの圧電素子から信号が検出されたか判断し、部屋毎に商用電源をＯＮ／ＯＦＦする作用を有する。
【００４５】
請求項７記載の電源装置の発明は、請求項１に記載の電源装置において、制御手段に商用電源ＯＮ／ＯＦＦの状態を報知する報知手段を備える構成としたものであり、商用電源のＯＮ／ＯＦＦ状態を知らせる作用を有する。
【００４６】
請求項８記載の電源装置の発明は、請求項７に記載の電源装置において、圧電素子を設置した家の外に受信手段を備え、報知手段から前記受信手段に商用電源のＯＮ／ＯＦＦ状態を送信する構成としたものであり、商用電源のＯＮ／ＯＦＦ状態を家の外に送信する作用を有する。
【００４７】
請求項９記載の電源装置の発明は、請求項１に記載の電源装置において、商用電源が停電より復帰時は商用電源をＯＮする構成としたものであり、停電時に商用電源がＯＮ状態から復帰する作用を有する。
【００４８】
請求項１０記載の電源装置の発明は、請求項１に記載の電源装置において、制御手段に在室人数積算手段の在室人数を手動設定する在室人数入力手段を備える構成としたものであり、停電時から復帰時に在室人数を手動で設定できる作用を有する。
【００４９】
請求項１１記載の電源装置の発明は、請求項１に記載の電源装置において、制御手段に時間を積算する時間積算手段を備え、人が退室したと判断する一定時間経過後に商用電源をＯＦＦする構成としたものであり、商用電源のＯＦＦまでに遅延時間がある作用を有する。
【００５０】
請求項１２記載の電源装置の発明は、請求項１１に記載の電源装置において、人が退室したと判断する一定時間を設定できる構成としたものであり、商用電源のＯＦＦまでの遅延時間を設定できる作用を有する。
【００５１】
以下、本発明の実施形態について図を参照しながら説明する。
【００５２】
（実施の形態１）
図１に示すように、本発明の電源装置は、家の玄関の出入口１の床に圧電素子２を備え、圧電素子２は壁の制御手段３に接続されている。電源ブレーカ４より出力される商用電源は制御手段３および開閉手段５を介して配電盤６に接続されている。また図２に示すように、制御手段３は、圧電素子２からの信号を検出する人検出手段７、在室人数積算手段８および在室判断手段９を内蔵している。また、人検出手段７は、圧電素子２からの電圧信号に対して、あらかじめ人判定基準として電圧閾値Ｖｔを記憶させている。
【００５３】
ここで、開閉手段５としては大容量の商用電源を容易にＯＮ／ＯＦＦできるリレー回路等が考えられる。
【００５４】
圧電素子２は衝撃を受けると衝撃の大きさに比例した微小電圧が発生する素子であり、人が踏んだ場合でも電圧が発生する。人が踏んだ場合に発生する圧電素子２の電圧信号は人検出手段７で増幅され図３のような電圧を検出し、電圧があらかじめ記憶された電圧閾値Ｖｔ以上の場合は人と判断する。例えば、１０ｋｇ相当以上の電圧を検出すると人と判断し、１０ｋｇ未満は人ではない（ペット等）と判断することで、人の入退室のみを検出することができる。この電圧閾値Ｖｔは、制御手段３にボリュームを設けて、任意に設定できるようにしても良い。
【００５５】
圧電素子２は人の入退室を確実に検出できる出入口１近傍に設置するのが良く、また図４に示すように、圧電素子２を２つのゾーンに分類し、「入室ゾーン」で検出した場合は人が入室したと判断し、「退室ゾーン」で検出した場合は人が退室したと判断できるようにすれば、容易かつ精度良く人の入退室を検出することができる。
【００５６】
上記構成において、図５のフローチャートを用いて電源装置の動作を説明する。ＳＴＥＰ１では、家に人が在室し、開閉手段５により配電盤６へ商用電源が出力されている「商用電源ＯＮ状態」から始まる。ＳＴＥＰ２では、人検出手段７により人の入室を検出した場合は、ＳＴＥＰ３にて在室人数積算手段８の在室人数を「＋１」する。ＳＴＥＰ４では、人検出手段７により人の退室を検出した場合は、ＳＴＥＰ５にて在室人数積算手段８の在室人数を「−１」する。ＳＴＥＰ６では、在室人数積算手段８の在室人数が「０」の場合は、在室判断手段９により人が不在と判断し、ＳＴＥＰ７にて開閉手段５により配電盤６への商用電源の出力を停止して「商用電源ＯＦＦ状態」となり、次に人が入室するまでは「商用電源ＯＦＦ状態」を継続する。ＳＴＥＰ６にて在室人数が「１人以上」の場合は、在室判断手段９により人が在室していると判断し、ＳＴＥＰ１へ戻り「商用電源ＯＮ状態」を継続する。以上のように、人の在室を自動で検出し、人が不在の場合は「商用電源ＯＦＦ状態」となることで、使用者が意識をせず容易に待機電力を削減することができる。
【００５７】
上記動作説明では、開閉手段５により配電盤６への商用電源の出力を制御する例を説明したが、冷蔵庫等の人が不在の場合でも商用電源の出力が必要な電気機器については、制御手段３を介さず配電盤６に直接商用電源を接続し、本発明の電源装置とは別系統とするのが良い。
【００５８】
また圧電素子２を２つのゾーンに分類する他の方法として、図６に示すように、圧電素子２を出入口１の室内と室外の両側に設置し、「外ゾーン」⇒「内ゾーン」の順で検出した場合は人が入室したと判断し、「内ゾーン」⇒「外ゾーン」の順で検出した場合は人が退室したと判断できるようにすると、人がゾーンを意識せずに人の入退室を容易かつ精度良く検出することができる。
【００５９】
また、玄関に設置して家全体で人の在室を検出する方法以外に、図７に示すように、部屋毎に圧電素子２を備えて人の在室を検出し、配電盤６への商用電源の出力を部屋毎に制御すると、より細かく待機電力を削減することができる。
【００６０】
（実施の形態２）
本発明の実施の形態２について図８を参照しながら説明する。実施の形態１と同一部分は同一番号を付与し、詳細な説明は省略する。図８に示すように、制御手段３に「商用電源ＯＮ／ＯＦＦ状態」を報知する報知手段１０を備える。ここで、報知手段１０としてはＬＥＤにより「商用電源ＯＮ／ＯＦＦ状態」を点灯表示し、例えば「商用電源ＯＮ状態」では「緑」点灯、「商用電源ＯＦＦ状態」では「赤」点灯とすれば良い。これにより、使用者が待機電力の削減状態を容易に知ることができる。
【００６１】
また停電時の動作として、停電により本発明の電源装置への商用電源が遮断された場合、停電より復帰時は在室人数積算手段８の値を「不定」とし、例えばＬＥＤを「赤点滅」させて在室人数が「不定」であることを報知する。在室人数が「不定」の際は、在室人数が「確定」するまでは圧電素子２による人の検出を停止し、開閉手段５により配電盤６へ商用電源が出力されている「商用電源ＯＮ状態」とする。これにより、停電時に人が入室して圧電素子２で検出できなかった場合でも、停電より復帰時にはすぐに電気機器を使用できる状態となる。
【００６２】
在室人数が「不定」から「確定」への復帰方法としては、図９に示すように、制御手段３に在室人数入力手段１１を備え、在室人数入力手段１１により手動で在室人数を入力して「確定」させると、圧電素子２による人の検出を再開させると良い。ここで、在室人数入力手段１１としてはプッシュスイッチを２個使用し、それぞれのプッシュスイッチを押すごとに在室人数を±１できると良く、また入力した在室人数を報知手段１０としての液晶ディスプレイに表示すると良い。在室人数入力手段１１の別の使用方法として、小さな子供を抱っこして入退室した際、圧電素子２により人数を正確に検出できず在室人数が正しく検出できないため、このような場合は在室人数入力手段１１により手動で在室人数を入力すると良い。これにより、停電時に人が入退室して在室人数が変化した場合でも、在室人数を適切に設定することができる。
【００６３】
報知手段１０の他の例として、図１０に示すように、家の外に受信手段１２を備え、報知手段１０より受信手段１２に「商用電源ＯＮ／ＯＦＦ状態」を送信する方法がある。ここで、受信手段１２としては携帯電話等が考えられ、報知手段１０からメール送信をすれば良い。これにより、「商用電源ＯＮ／ＯＦＦ状態」から家の人の在室を判断して、子供の帰宅状況や不審者の侵入を携帯電話で知ることができる。
【００６４】
（実施の形態３）
本発明の実施の形態３について図１１を参照しながら説明する。実施の形態１と同一部分は同一番号を付与し、詳細な説明は省略する。図１１に示すように、開閉手段５により配電盤６への商用電源の出力を停止して「商用電源ＯＦＦ状態」までの時間を積算する時間積算手段１３を備える。
【００６５】
上記構成において、図１２のフローチャートを用いて電源装置の動作を説明する。実施の形態１と同一部分は詳細な説明は省略する。ＳＴＥＰ６にて人が不在と判断した場合は、ＳＴＥＰ７にて時間積算手段１３の時間が、あらかじめ記憶された人が退室したと判断する一定時間である時間閾値Ｔｔ未満の場合はＳＴＥＰ９へ移行し、時間積算を「＋１」とする。ＳＴＥＰ１０では人が再入室していないか判断して、再入室がなければＳＴＥＰ７へ戻る。時間積算が時間閾値Ｔｔ以上となった場合、ＳＴＥＰ７からＳＴＥＰ８へ移行し、開閉手段５により配電盤６への商用電源の出力を停止して「商用電源ＯＦＦ状態」となり、次に人が入室するまでは「商用電源ＯＦＦ状態」を継続する。時間積算が時間閾値Ｔｔ未満かつ人が再入室した場合はＳＴＥＰ１０からＳＴＥＰ１１へ移行し、在室人数積算手段８の在室人数を「＋１」とし、ＳＴＥＰ１２で時間積算手段１３の値を「０」としてからＳＴＥＰ１へ戻り「商用電源ＯＮ状態」を継続する。ここで、時間閾値Ｔｔとしては人が見送り等のため一時的に玄関より退出して再入室するまでの時間として５分程度が良い。また時間閾値Ｔｔは、制御手段３にボリュームを設けて、任意に設定できるようにしても良い。
【産業上の利用可能性】
【００６６】
本発明にかかる電源装置は、人の入退室により容易かつ精度良く商用電源をＯＮ／ＯＦＦするものであり、一般住宅などに用いられる電源装置に有用である。
【図面の簡単な説明】
【００６７】
【図１】本発明の実施の形態１の電源装置の構成を示す上面視図
【図２】同電源装置の制御系を示すブロック図
【図３】同電源装置の人検出手段の出力を示す図
【図４】同電源装置の構成を示す上面視図
【図５】同電源装置の動作を示すフローチャート
【図６】同電源装置の構成を示す上面視図
【図７】同電源装置の構成を示す上面視図
【図８】本発明の実施の形態２の電源装置の制御系を示すブロック図
【図９】同電源装置の制御系を示すブロック図
【図１０】同電源装置の制御系を示すブロック図
【図１１】本発明の実施の形態３の電源装置の制御系を示すブロック図
【図１２】同電源装置の動作を示すフローチャート
【符号の説明】
【００６８】
２    圧電素子
３    制御手段
５    開閉手段
７    人検出手段
８    在室人数積算手段
９    在室判断手段
１０  報知手段
１１  在室人数入力手段
１２  受信手段
１３  時間積算手段
【図１】
2010182601.tif 000003
【図２】
2010182601.tif 000004
【図３】
2010182601.tif 000005
【図４】
2010182601.tif 000006
【図５】
2010182601.tif 000007
【図６】
2010182601.tif 000008
【図７】
2010182601.tif 000009
【図８】
2010182601.tif 000010
【図９】
2010182601.tif 000011
【図１０】
2010182601.tif 000012
【図１１】
2010182601.tif 000013
【図１２】
2010182601.tif 000014